(57)【要約】【課題】画像形成装置における部品交換時の自動調整を適切に実行する。【解決手段】交換可能な部品を備えており、記録媒体上に画像を形成する画像形成部１４０と、各種情報を表示する表示部１０５と、各部を制御する制御部１０１と、を備えた画像形成装置１００であって、前記制御部１０１は、前記画像形成部内で交換された部品について必要となる項目の調整（部品交換時調整）を行う際に、該部品交換時調整が予め定められた状態で完了しない場合には関連する他の部品（関連部品）の交換を促すよう前記表示部に表示する、ことを特徴とする。【選択図】図１
2011104825.tif 000002
【特許請求の範囲】
【請求項１】
交換可能な部品を備えており、記録媒体上に画像を形成する画像形成部と、
各種情報を表示する表示部と、
各部を制御する制御部と、を備えた画像形成装置であって、
前記制御部は、
前記画像形成部内で交換された部品について必要となる項目の調整（部品交換時調整）を行う際に、該部品交換時調整が予め定められた状態で完了しない場合には関連する他の部品（関連部品）の交換を促すよう前記表示部に表示する、
ことを特徴とする画像形成装置。
【請求項２】
交換可能な部品を備えており、記録媒体上に画像を形成する画像形成部と、
各部を制御する制御部と、を備えた画像形成装置であって、
前記制御部は、
前記画像形成部内で交換された部品について必要となる項目の調整（部品交換時調整）を行う際に、該部品交換時調整が予め定められた状態で完了しない場合には関連する他の部品（関連部品）の交換を促すよう外部に接続される表示部に表示するための情報を出力する、
ことを特徴とする画像形成装置。
【請求項３】
前記制御部は、
前記部品交換時調整において、エラーが発生した場合、あるいは、所定時間内に調整が終了しない場合を、前記完了しない状態と判定する、
ことを特徴とする請求項１−２記載の画像形成装置。
【請求項４】
前記制御部は、
前記部品交換時調整が前記完了しない場合に、前記関連部品として、前記交換された部品以外の未交換の部品を前記表示部に表示する、
ことを特徴とする請求項１−３のいずれか一項に記載の画像形成装置。
【請求項５】
前記制御部は、
前記関連部品の交換がなされた場合に、該関連部品に対応する調整を行うよう制御する、
ことを特徴とする請求項１−４のいずれか一項に記載の画像形成装置。
【請求項６】
前記制御部は、
前記関連部品の交換がなされたことが操作部に入力された場合に、前記関連部品に対応する調整を行うよう制御する、
ことを特徴とする請求項５記載の画像形成装置。
【請求項７】
交換可能な部品を備えていて記録媒体上に画像を形成する画像形成部と、各部を制御する制御部と、を備えた画像形成装置を制御する画像形成装置制御方法であって、
前記画像形成部内で交換された部品について必要となる項目の調整（部品交換時調整）を行う際に、該部品交換時調整が予め定められた状態で完了しない場合には関連する他の部品の交換を促すように表示部に表示するよう制御部が制御する、
ことを特徴とする画像形成装置制御方法。
【発明の詳細な説明】
【技術分野】
【０００１】
本発明は、画像形成装置及び画像形成装置制御方法に関し、特に、ユーザによる部品交換を適切に行う技術に関する。
【背景技術】
【０００２】
画像形成装置において部品交換がなされると、画像形成装置全体の一連の調整を自動的に行うように構成されているものがある。これは、部品交換により劣化した部品が新品になるために、その部分（新品部品）が他の部分に悪影響を与えることなく、全体として適正な状態で画像形成を行えるようにするためである。この種の自動調整については、以下の特許文献１に記載がなされている。
【先行技術文献】
【特許文献】
【０００３】
【特許文献１】特開２００５―３３５１６４号公報
【発明の概要】
【発明が解決しようとする課題】
【０００４】
特許文献１では、交換部品情報を記憶しておき、該交換部品に関連する自動調整を実施することが記載されている。
このような自動調整を実行する場合には、該自動調整が完了して装置が適正状態に達するまでは、画像形成を再開することはできない。
【０００５】
ところで、この部品交換に伴う自動調整を行う際に、他の劣化部品の影響により、エラーが発生することがある。あるいは、部品交換に伴う自動調整を行う際に、他の劣化部品の影響によって該自動調整が収束せず、自動調整がなかなか終わらない場合がある。
【０００６】
たとえば、検知部が汚損して正確な値を出力できないトナー濃度センサが使われていた場合には、それまでは誤差を含んだ検知結果により、適正トナー濃度ではなく実際には低いトナー濃度で画像形成装置が動作している。
【０００７】
そこで、汚損したトナー濃度センサが交換されると、正確なトナー濃度が要求されることになるが、現像剤が劣化していて適切なトナー濃度を実現できないエラーが発生することがある。その場合には、それまでは見逃されていた現像剤の劣化が顕在化したのであるため、その現像剤についても交換の必要がある。
【０００８】
また、感光体ドラムを交換した場合に、帯電極との相性が悪いと、適切な帯電がなされず、ドラム上で適切なトナー濃度を得ることができない。その場合には、帯電極についても、感光体ドラムと同時に交換することが望ましい。
【０００９】
従来の画像形成装置の制御では、部品交換をした場合の自動調整において、上述した部品交換により連動して発生する不具合についての対処ができず、自動調整がエラーで停止したり、あるいは、いつまで経っても終了しないという問題が発生することになる。
【００１０】
なお、近年の画像形成装置では、一定の部品に関しては、ユーザが交換して、交換後に装置が自動調整する機能を備えたものが存在している。これにより、画像形成装置の停止時間をできるだけ短縮しようとしているが、上述した交換部品関連の不具合が発生すると、ユーザには手に負えなくなる。この結果、サービス要員を呼ぶ必要が生じてしまい、結果として装置の停止時間がかえって増大してしまうという問題が発生する。
【００１１】
本発明の課題は、画像形成装置における部品交換時の自動調整を適切に実行することを目的とする。
【課題を解決するための手段】
【００１２】
この発明は、交換可能な部品を備えており、記録媒体上に画像を形成する画像形成部と、各種情報を表示する表示部と、各部を制御する制御部と、を備えた画像形成装置であって、前記制御部は、前記画像形成部内で交換された部品について必要となる項目の調整（部品交換時調整）を行う際に、該部品交換時調整が予め定められた状態で完了しない場合には関連する他の部品（関連部品）の交換を促すよう前記表示部に表示する、ことを特徴とする。
【００１３】
また、この発明は、交換可能な部品を備えており、記録媒体上に画像を形成する画像形成部と、各部を制御する制御部と、を備えた画像形成装置であって、前記制御部は、前記画像形成部内で交換された部品について必要となる項目の調整（部品交換時調整）を行う際に、該部品交換時調整が予め定められた状態で完了しない場合には関連する他の部品（関連部品）の交換を促すよう外部に接続される表示部に表示するための情報を出力する、ことを特徴とする。
【００１４】
ここで、部品交換時調整において、エラーが発生した場合、あるいは、所定時間内に調整が終了しない場合を、完了しない状態と判定する。なお、部品交換時調整が完了しない場合に、関連部品として、交換された部品以外の未交換の部品を表示部に表示する。また、関連部品の交換がなされた場合に、該関連部品に対応する調整を行うよう制御する。ここでは、関連部品の交換がなされたことが操作部に入力された場合に、関連部品に対応する調整を行うよう制御する。
【発明の効果】
【００１５】
この発明では、画像形成部が交換可能な部品を備えており、画像形成部内で交換部品が発生した場合には必要項目の調整（部品交換時調整）を行い、該部品交換時調整が予め定められた状態で完了しない場合には関連する他の部品（関連部品）の交換を促すよう表示部に表示する。
【００１６】
これにより、部品交換をした場合の自動調整において、上述した部品交換により連動して発生する不具合についての対処が可能となり、自動調整がエラーで停止してしまうことなく、あるいは、いつまで経っても終了しないという問題は解消される。
【００１７】
したがって、ユーザが部品を交換した場合であっても、ユーザには手に負えなくなる状況に陥ることなく、サービス要員を呼ぶ必要も生じないため、画像形成装置の停止時間を最小限に抑えることが可能になる。これにより、部品交換時の自動調整を適切に実行することが可能になる。
【図面の簡単な説明】
【００１８】
【図１】本発明の実施形態の概略構成を示す構成図である
【図２】本発明の実施形態の概略構成を示す構成図である
【図３】本発明の実施形態の概略構成を示す構成図である
【図４】本発明の実施形態の動作を示すフローチャートである。
【図５】本発明の実施形態を説明する説明図である。
【図６】本発明の実施形態を説明する説明図である。
【図７】本発明の実施形態を説明する説明図である。
【図８】本発明の実施形態を説明する説明図である。
【図９】本発明の実施形態を説明する説明図である。
【図１０】本発明の実施形態を説明する説明図である。
【発明を実施するための形態】
【００１９】
以下、図面を参照して本発明の部品交換時調整制御を実施する画像形成装置および画像形成装置制御方法の実施形態を詳細に説明する。
〔画像形成装置１００の構成〕
ここで、第一実施形態の第一例として、画像形成に伴い必要に応じて部品交換時調整制御を行う画像形成装置１００の構成を、図１（ブロック図）に基づいて詳細に説明する。
【００２０】
なお、この実施形態の画像形成装置１００としては、各種の画像形成装置に適用が可能であるが、ここでは、ネットワークに接続された、スキャナ，複写機，プリンタ，ファクシミリ装置の機能を備えた複合機（ＭＦＰ）、あるいは複写機を具体例にして説明を続ける。
【００２１】
また、画像形成装置１００として既知であって、本実施形態の特徴的な動作や制御に直接に関係しない一般的な部分についての説明は省略してある。
図１に示す画像形成装置１００は、画像形成について各部を制御すると共に部品交換時調整制御を行う制御部１０１と、使用者やオペレータなどの操作者が各種操作入力を行うと共に各種表示を行う操作表示部１０５、ジョブデータや各種データを記憶する記憶部１１０、原稿を読み取って画像データを生成するスキャナ１２０、画像形成すべき画像データに所定の画像処理を施す画像処理部１３０、画像データに基づいて用紙上に画像を形成するプリントエンジン１４０、画像形成された用紙に各種後処理を施すフィニッシャ１５０、を備えて構成されている。
【００２２】
ここで、制御部１０１は、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。また、制御部１０１は、後述するように、フローチャートに示す部品交換時調整制御を実行する。
【００２３】
ここで、操作表示部１０５は、キーボード、マウス、タッチパネル等の入力デバイスを備え、入力される各種指示信号を制御部１０１に送信する。また、操作表示部１０５は、ＬＣＤ（Liquid Crystal Display）やＣＲＴ（Cathode Ray Tube）等の表示手段を備え、制御部１０１から入力される各種画像データを表示する。なお、この操作表示部は操作部と表示部が別であってもよいが、表示されたアイコンあるいはキー（以下、「キー」と呼ぶ）を押下するタッチパネルが一般的であるため、以下の実施形態ではタッチパネル形式の操作表示部１０５であるとして説明を行う。
【００２４】
また、記憶部１１０は、データの書き込み、消去、読み出しが自在に行えるＨＤＤ（Hard Disc Drive）やフラッシュメモリ等の記憶装置であり、固定的に設けたものであってもよいし、また、着脱自在に設けたものであってもよい。この記憶部１１０は、登録済みの一又は複数のジョブを含むジョブデータ（処理済み、処理中のジョブや、未処理のジョブを含む。）を格納する。さらに、記憶部１１０は、部品交換時調整制御のため、各部品の交換日や、残存寿命など、各部品の関連についての情報を記憶している。
【００２５】
プリントエンジン１４０は、電子写真方式や各種方式の画像形成部や印刷装置であり、複写機やプリンタやファクシミリ装置などにおいて所定の用紙上に画像を形成して出力するものであり、後述する図２のような構成により各種の交換可能な部品を含んで構成されている。
【００２６】
フィニッシャ１５０は、ステープル、パンチ、折り、綴じ、製本、スタック、など、画像形成された用紙に対して各種の後処理を施す後処理装置である。
また、図１に示す画像形成システム１では、画像形成装置１００は、通信手段２００を介して、外部ＰＣなどの外部機器と通信可能に接続されていてもよい。ここで、通信手段２００は、例えば、ＬＡＮ（Local Area Network）やＷＡＮ（Wide Area Network）等を想定するが、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ（Cable Television）回線、光通信回線、無線通信回線等の各種通信回線を含むような構成であってもよい。
【００２７】
〔プリントエンジン１４０の構成〕
ここで、第一実施形態の画像形成装置１００内のプリントエンジン１４０構成を、図２、図３に基づいて詳細に説明する。なお、プリントエンジン１４０として既知であって、本実施形態の特徴的な動作や制御に直接に関係しない一般的な部分についての説明は省略してある。
【００２８】
また、この図２では１色分の基本的な構成を示しており、カラー画像形成装置の場合には図３の如く各部が各色数に対応するように構成される。
本実施形態のプリントエンジン１４０は、画像形成に関して各部を制御する制御手段としてＣＰＵ（Central Processing Unit）等により構成されたプリント制御部１４１、給紙トレイ１４５０Ｔに収容された記録紙を送り出す給紙部１４５０、給紙部１４５０により送り出された記録紙をセンサ１４６０ｓで画像形成のタイミングに合わせて所定の搬送速度で搬送する搬送部１４６０、回転する感光体ドラムや感光体ベルトなどの感光体上にトナー像を形成し、該トナー像を直接或いは間接に静電的に記録紙上に転写して画像を形成する画像形成部１４７０、記録紙上に転写されたトナー像を定着ローラによる熱と圧力とによって記録紙上に安定した状態で定着させる定着部１４８０、を備えて構成される。
【００２９】
プリント制御部１４１は、制御部１０１や画像形成装置１００の制御プログラムに従ってプリントエンジン１４０を構成する各部を制御して、各種の調整や制御を行うことによってプリントエンジン１４０を統括的に制御する。
【００３０】
給紙部１４５０は、単数または複数の給紙トレイ１４５０Ｔに載置された記録紙を給紙ローラによって画像形成位置まで送り出す給紙手段である。搬送部１４６０は、給紙部１４５０から送り出された記録紙を所定の搬送速度で搬送する搬送手段であり、レジストローラやその他各種の搬送ローラ、搬送ベルトなどを備えて構成されている。さらに、搬送部１４６０の各部の所定位置には、記録紙の先端を検知する先端検知センサなどの搬送センサ１４６０ｓが配置されている。
【００３１】
画像形成部１４７０は、感光体に所定の電圧を帯電させる帯電部１４７１（１４７１Ｙ〜Ｃ）、帯電された感光体に画像データに応じた露光を行って帯電電圧を変化させることで静電潜像を形成する露光部１４７２（１４７２Ｙ〜Ｃ）、以上の帯電と露光により表面に静電潜像が形成されて該静電潜像がトナー像とされる像担持体としての感光体１４７３（１４７３Ｙ〜Ｃ）、感光体１４７３表面に形成された静電潜像にトナーを付着せしめて現像してトナー像とする現像部１４７４（１４７４Ｙ〜Ｃ）、感光体１４７３表面に形成されたトナー像を静電的に記録紙に転写する転写部１４７５、を備えて構成されている。
【００３２】
なお、帯電部１４７１、露光部１４７２、感光体１４７３、現像部１４７４については、図３に示す如く、画像形成に用いるＹＭＣＫの色毎にそれぞれ独立した構成であっても良い。
【００３３】
また、転写部１４７５としては、図３のカラー画像形成装置の場合には、ＹＭＣＫの各色のトナー像を合成する中間転写体１４７５Ａ、合成されたトナー像を記録紙に転写する二次転写部１４７５Ｂを備えて構成されていてもよい。
【００３４】
定着部１８０は、トナー像が転写された記録紙を挟持搬送しつつ、加熱と加圧とにより定着を実行してトナー像を記録紙上で安定した状態にする。
そして、以上のような構成において、帯電部１４７１、露光部１４７２、感光体１４７３、現像部１４７４、転写部１４７５などについては、各部を構成する部品をユニット単位で挿抜可能に構成され、必要に応じて交換可能に構成されている。なお、各部品の交換時期や寿命については、プリント制御部１４１や制御部１０１が管理を行っている。
【００３５】
〔動作〕
以下、図４のフローチャート、図５以降の画面説明図などを参照して、本実施形態の画像形成装置の動作、および画像形成装置制御方法の手順を説明する。
【００３６】
画像形成装置１００の画像形成動作により、いずれかの部品に交換時期が到来する（図４中のステップＳ１０１でＹＥＳ）と、制御部１０１の制御により、通常の画像形成動作は停止し、操作表示部１０５の表示画面には図５（１）に示すメッセージが表示される。あるいは、表示画面に交換部品存在を意味するマーク（図示せず）が表示され、それをクリックすることで図５（１）のメッセージが表示される。
【００３７】
ここで、図５（１）のメッセージに従って、画像形成装置１００の操作者（ユーザ）が図５（２）の「ユニット交換」のキーを押下すると、制御部１０１は、図６の表示画面に示すような交換すべき部品を一覧表示する画面を操作表示部１０５の表示画面に表示する（図４中のステップＳ１０２）。
【００３８】
この図６の表示例では、交換可能な部品のうち、交換時期に達して交換が必要なものが黒字に白文字で明確にハイライト表示されており、後述するチェックマークの入力が可能に表示されている。また、この図６の表示例では、交換可能な部品のうち、交換時期不要なものはグレーに表示されており、後述するチェックマークの入力ができないように表示されている。
【００３９】
操作者がこの図６の操作画面に従い、Ｋ（黒）の感光体１４７３Ｋを新品の部品に交換し（図４中のステップＳ１０３）、交換部品の交換済みのチェックマーク（図７（ａ））と交換理由の選択（図７（ｂ））とを確認入力する（図４中のステップＳ１０４）と、制御部１０１は、交換時期が到来し交換必要な部品が全て交換完了したかを判断する（図４中のステップＳ１０５）。
【００４０】
交換時期が到来していて交換必要な部品のうちで未交換のものがあれば（図４中のステップＳ１０５でＮＯ）、制御部１０１は、メッセージ表示（図４中のステップＳ１０２）を繰り返し、操作者による交換（図４中のステップＳ１０３）と確認の入力（図４中のステップＳ１０４）とを、全て完了する（図４中のステップＳ１０５でＹＥＳ）まで待機する。
【００４１】
交換時期が到来していて交換必要な部品が全て交換完了となっていれば（図４中のステップＳ１０５でＹＥＳ）、制御部１０１は部品の交換を検知し、交換された部品に応じて調整を行うべく、部品交換時調整制御を実行する（図４中のステップＳ１０６）。
【００４２】
この部品交換時調整においては、現像剤におけるトナー濃度の調整、中間転写ベルトの調整、カラーレジストの調整、ガンマ調整などが存在しており、交換部品を含めてプリントエンジン１４０が適正な画像形成を実行できるように制御部１０１とプリント制御部１４１とが各部を調整する。そして、図８に示すように、実行中の作業の様子が制御部１０１により操作表示部１０５の表示画面に表示される。
【００４３】
プリントエンジン１４０内の各部の調整が予め定められた所定の時間内に終了すれば、調整が適正に完了したものとして、制御部１０１は部品交換時調整を完了する（図４中のステップＳ１０７でＹＥＳ、エンド）。なお、各部の状態や部品の相性により調整時間は変化することがあり、場合によっては調整が収束せず長時間にわたって調整を実行しても終了しないこともある。そのため、各部の調整毎に一般的に終了する時間の１．５倍〜２倍程度の時間を適正時間の閾値として定めておくことが望ましい。
【００４４】
プリントエンジン１４０内の各部の調整が予め定められた所定の時間内に終了しない場合（図４中のステップＳ１０７でＮＯ）、交換された新たな部品によって他の部品の不具合が顕在化してプリント制御部１４１がエラーコードを発生した場合（図４中のステップＳ１０７でＮＯ）、交換された新たな部品と対応する部品との相性が悪くてプリント制御部１４１がエラーコードを発生した場合（図４中のステップＳ１０７でＮＯ）、など、各種の理由（以下、「エラー等」）によって部品交換時調整が適正に終了しない場合（図４中のステップＳ１０７でＮＯ）、制御部１０１は部品交換時調整中にエラーが発生した旨のメッセージ（図９（ａ））を操作表示部１０５の表示画面に表示すると共に、関連して交換すべき他の部品が存在する旨のメッセージ（図９（ｂ））を操作表示部１０５の表示画面に表示する（図４中のステップＳ１０）。
【００４５】
なお、制御部１０１は、所定時間に終了しなかった調整項目の内容、発生したエラーコード、上述した相性などの情報を含む予め用意されたエラーに関するデータベースなどを参照し、関連して交換すべき他の部品を決定する。
【００４６】
操作者が図９の交換部品選択のキーを押下すると（図４中のステップＳ１０９でＹＥＳ）、制御部１０１はエラー等に関連して交換すべき他の部品を図１０のように操作表示部１０５の表示画面に表示する。なお、操作者が図９の交換部品選択のキーを押下せずに調整再開のキーを押下すると（図４中のステップＳ１０９でＮＯ）、制御部１０１は部品交換時調整制御に戻る（図４中のステップＳ１０６）。
【００４７】
図１０に示す関連して交換すべき他の部品の表示では、直前に既に交換した部品、ここでは感光体１４７３Ｋについては網掛けなどの表示（図１０（ａ）参照）をすることで、操作者が間違って再び交換してしまうことがないようにする。また、この図１０の表示例では、制御部１０１の判断により交換が必要とされたものが黒字に白文字で明確にハイライト表示されており（図１０（ｂ）（ｃ））、チェックマークの入力が可能に表示されている（図４中のステップＳ１１０）。また、この図１０の表示例では、交換可能な部品であっても、現時点で交換時期不要なものはグレーに表示されており、後述するチェックマークの入力ができないように表示されている。ここでは、関連するものとして、帯電極Ｋと現像ユニットＫとがハイライト表示されている。
【００４８】
この図１０の操作画面に操作者が従い、帯電極Ｋと現像ユニットＫとを新品の部品に交換し（図４中のステップＳ１１０）、交換部品の交換済みのチェックマークを確認入力する（図４中のステップＳ１１２）と、制御部１０１は、エラー等により関連して交換すべき他の部品の全て交換完了したかを判断する（図４中のステップＳ１１３）。
【００４９】
エラー等に関連して交換必要な部品のうちで未交換のものがあれば（図４中のステップＳ１１３でＮＯ）、制御部１０１は、交換すべき部品の表示（図４中のステップＳ１１０）を繰り返し、操作者による交換（図４中のステップＳ１１１）と確認の入力（図４中のステップＳ１１２）とを、全て完了する（図４中のステップＳ１１３でＹＥＳ）まで待機する。
【００５０】
エラー等に関連して交換すべき部品が全て交換完了となっていれば（図４中のステップＳ１１３でＹＥＳ）、制御部１０１は部品の交換を検知し、エラーで中断していた部品交換時調整制御を再び実行する（図４中のステップＳ１０６）。なお、エラー等により部品交換時調整が途中で停止しており、かつ、関連して交換すべき他の部品が交換されているため、制御部１０１は、部品交換時調整を最初から行うことが望ましい。
【００５１】
以上のようにして、プリントエンジン１４０内の各部の調整がエラー等の発生なく予め定められた所定の時間内に終了するまで、制御部１０１は、以上の制御を繰り返して実行し、各部の調整がエラー等の発生なく予め定められた所定の時間内に終了すれば、調整が適正に完了したものとして、制御部１０１は部品交換時調整を完了する（図４中のステップＳ１０７でＹＥＳ、エンド）。
【００５２】
なお、以上のエラー等に関連して交換すべき他の部品の交換（図４中のステップＳ１１１）によっても適正に調整が終了しない場合には（図４中のステップＳ１０６でＮＯ）、制御部１０１は、調整項目の内容、発生したエラーコード、上述した相性などの情報を含む予め用意されたエラーに関するデータベースなどを参照し、更に関連して交換すべき他の部品を決定すればよい。
【００５３】
このように、制御部１０１がデータベースなどを参照して次に交換すべき他の部品を決定することで、操作者が画像形成装置内部に詳しくない場合であっても、効率よく、エラーに関連して可能性の高い部品から順次交換できるようになる。
【００５４】
以上説明してきたように、この実施形態では、プリントエンジン１４０が交換可能な部品を備えており、交換部品が発生した場合には必要項目の調整（部品交換時調整）を行い、該部品交換時調整が予め定められた状態で完了しない場合には関連する他の部品（関連部品）の交換を促すよう操作表示部１０５の表示画面に表示する。
【００５５】
これにより、部品交換をした場合の自動調整において、部品交換により連動して発生あるいは顕在化する不具についての対処が可能となり、自動調整がエラーで停止してしまうことなく、あるいは、いつまで経っても終了しないという問題は解消される。
【００５６】
したがって、ユーザが部品を交換した場合であっても、ユーザには手に負えなくなる状況に陥ることなく、サービス要員を呼ぶ必要も生じないため、画像形成装置の停止時間を最小限に抑えることが可能になる。これにより、部品交換時の自動調整を適切に実行することが可能になる。
【００５７】
〔他の実施形態（１）〕
以上の説明では、画像形成装置１００内で部品交換時調整制御を行うようにしていたが、これに限定されるものではない。
【００５８】
たとえば、画像形成装置１００と接続された外部ＰＣを部品交換時調整制御部や表示部として利用し、外部ＰＣを介して部品交換時調整制御を実行するようにしてもよい。
〔他の実施形態（２）〕
以上の説明では、画像形成装置１００にて部品交換時調整制御を行うようにしていたが、これに限定されるものではない。
【００５９】
たとえば、画像形成装置１００と接続された外部表示装置に対して図５〜図１０の表示を行うように、制御部１０１が情報出力の制御すると共に、外部の操作部から入力された指示に基づいて制御部１０１が部品交換時調整制御を行うことが可能である。
【００６０】
これによれば、画像形成装置１００の表示操作部が小さい場合などにも、以上の実施形態を確実に実施することが可能になる。この場合、制御部１０１は、外部の表示装置に対して表示信号（表示情報）を出力する。また、外部のキーボードなどの入力装置からの入力信号を受け付けるようにする。
【００６１】
なお、このような外部表示・外部操作入力による場合は、ネットワーク接続された端末装置３００などを用いるほか、汎用のディスプレイ装置やキーボードを画像形成装置１００に直接接続する構成であってもよい。このため、必要に応じて、外部表示出力端子、操作入力端子などを備えればよい。
【００６２】
〔他の実施形態（３）〕
なお、以上の実施形態において、画面表示は一例を示すものであり、各種の変形が可能である。また、具体例として示した画像形成装置１００やプリントエンジン１４０の構成も一例であって、各種の変形が可能である。
【符号の説明】
【００６３】
１００  画像形成装置
１０１  制御部
１０５  操作表示部
１１０  記憶部
１２０  スキャナ
１３０  画像処理部
１４０  プリントエンジン
１５０  フィニッシャ
【図１】
2011104825.tif 000003
【図２】
2011104825.tif 000004
【図３】
2011104825.tif 000005
【図４】
2011104825.tif 000006
【図５】
2011104825.tif 000007
【図６】
2011104825.tif 000008
【図７】
2011104825.tif 000009
【図８】
2011104825.tif 000010
【図９】
2011104825.tif 000011
【図１０】
2011104825.tif 000012